(57)【要約】【課題】トンネル壁面が箱抜き出来ないような場合でも、設置状態で前面側に突出するのを抑制でき、かつホース収納部のスペースを有効に活用してホースを収納できる消火栓装置を得る。【解決手段】本発明の消火栓装置１は、ホース３を収納するホース収納部５を有する本体部７と、本体部７の前面に設けられた前面パネル９とを有する筐体１１を備え、本体部７の背面の全体又は所定高さより下の部分が、上方から下方に向かう方向で、かつ背面側から前面側に向かって傾斜する傾斜面部１３になっており、傾斜面部１３の内面側には、ホース３を載置できる板状体１７を設けたことを特徴とするものである。【選択図】  図１
2019000196.tif 000002
【特許請求の範囲】
【請求項１】
トンネル内の壁面に設置される消火栓装置であって、
ホースを収納するホース収納部を有する本体部と、該本体部の前面に設けられた前面パネルとを有する筐体を備え、
前記本体部の背面の全体又は所定高さより下の部分が、上方から下方に向かう方向で、かつ背面側から前面側に向かって傾斜する傾斜面部になっており、
前記本体部の背面の内面側に、ホースを載置できるサポート部材を設けたことを特徴とする消火栓装置。
【請求項２】
トンネル内の壁面に設置される消火栓装置であって、
ホースを収納するホース収納部を有する本体部と、該本体部の前面に設けられた前面パネルとを有する筐体を備え、
前記本体部の背面の全体又は所定高さより上の部分が、下方から上方に向かう方向で、かつ背面側から前面側に向かって傾斜する傾斜面部になっており、
前記本体部の背面の内面側に、ホースを押し付けることができるサポート部材を設けたことを特徴とする消火栓装置。
【請求項３】
前記サポート部材は、前記本体部の背面の内面に取り付けた板状体であることを特徴とする請求項１又は２に記載の消火栓装置。
【請求項４】
トンネル内の壁面に設置される消火栓装置であって、
ホースを収納するホース収納部を有する本体部と、該本体部の前面に設けられた前面パネルとを有する筐体を備え、
前記本体部の背面の所定高さより下の部分が、背面側から前面側に向かって凹陥して内部に段部が形成され、該段部よりも下方の奥行きが該段部より上方の奥行きよりも短い形状になっており、
前記段部にホースを載置してホースを巻き回できることを特徴とする消火栓装置。
【請求項５】
トンネル内の壁面に設置される消火栓装置であって、
ホースを収納するホース収納部を有する本体部と、該本体部の前面に設けられた前面パネルとを有する筐体を備え、
前記本体部の背面の所定高さより上の部分が、背面側から前面側に向かって凹陥して内部に段部が形成され、該段部よりも上方の奥行きが該段部より下方の奥行きよりも短い形状になっており、
前記段部にホースを押し付けてホースを巻き回できることを特徴とする消火栓装置。
【発明の詳細な説明】
【技術分野】
【０００１】
本発明は、トンネル等に設置される消火栓装置に関する。
【背景技術】
【０００２】
トンネル等に設置される消火栓装置は、例えば特許文献１に開示されたように、消火栓本体を「トンネル壁面に形成された箱抜き部分」に設置していた。
しかしながら、最近の大口径のトンネルはシールド工法によって構築されることが多く、この場合、トンネルの壁面がトンネルの掘削と同時に鋼製のセグメントで構築されるため、特許文献１に開示されているような箱抜きをすることができない。
【０００３】
そのため、シールドトンネルに消火栓装置を設置する場合、トンネル壁面に取り付けることになるが、この場合監視員通路から操作ができる高さに取り付けられる。
ところが、シールドトンネルの壁面は、セグメントがむき出しになっており、湾曲した状態になっている。そのため、矩形箱形の筐体を有する消火栓装置をシールドトンネルの壁面に取り付けようとすると、筐体の下部がシールド壁面と干渉して、消火栓装置が監視員通路側に突出せざるを得なくなり、監視員通路の通行の妨げになる。
【０００４】
そこで、本願の出願人は先願である特願２０１７−８３４５９において、例えばシールドトンネルのようにトンネル壁面が箱抜き出来ないような場合でも、設置状態で前面側に突出するのを抑制できる消火栓装置を得ることを目的として、ホースを収納するホース収納部を有する本体部と、該本体部の前面に設けられた前面パネルとを有する筐体を備え、前記本体部の背面の全体又は所定高さより下の部分が、上方から下方に向かう方向で、かつ背面側から前面側に向かって傾斜する傾斜面部になっていることを特徴とする消火栓装置を提案している。
【先行技術文献】
【特許文献】
【０００５】
【特許文献１】特開２０１５−４４０３９号公報
【発明の概要】
【発明が解決しようとする課題】
【０００６】
本体部の背面の全体又は所定高さより下の部分が傾斜面部になっており、本体部内に設けられるホース収納部の背面が筐体の背面と共用される場合、ホース収納部の背面も傾斜した形状になり、このようなホース収納部にホースが内巻きされて収納されることになる。内巻きとは、ホース収納部という枠の内側に、枠に対してホースを内側から押し付けるようにして巻いて行く巻き方であり、ホース収納部の背面側から順に最外周を前面側に向かって巻いてゆき、最も前面側にくると、次に、最外周から一段内側に入って、前面側から背面側に向かって巻いてゆき、さらに、最も背面側まで到達すると、さらに内側に入って背面側から前面側に向かって巻いてゆくというのを繰り返す。
【０００７】
一般的なホース収納部の背面は垂直壁であり、底部は背面まで延出しているので、ホースの内巻きの開始位置は、最も後方の背面に近接した底部からとなる。
しかしながら、ホース収納部５１の背面側が前側に傾斜した傾斜面部５３になっている場合には、図１２に示すように、最も後方の背面に近い場所は底面から浮いた状態となり、ホース５５の巻き始めの位置が不安定であり、かつ巻き始めの開始位置も定まらない。他方、底面の位置から巻き始めるとすれば、それよりも後方側がデッドスペースとなり、その分だけ筐体の厚みを厚くしなければならず、消火栓装置が監視員通路側に突出することになり、筐体の背面側に傾斜面部を設ける趣旨に反することになる。
【０００８】
本発明はかかる課題を解決するためになされたものであり、例えばシールドトンネルのようにトンネル壁面が箱抜き出来ないような場合でも、設置状態で前面側に突出するのを抑制でき、かつホース収納部のスペースを有効に活用してホースを収納できる消火栓装置を得ることを目的としている。
【課題を解決するための手段】
【０００９】
（１）本発明に係る消火栓装置は、トンネル内の壁面に設置されるものであって、
ホースを収納するホース収納部を有する本体部と、該本体部の前面に設けられた前面パネルとを有する筐体を備え、
前記本体部の背面の全体又は所定高さより下の部分が、上方から下方に向かう方向で、かつ背面側から前面側に向かって傾斜する傾斜面部になっており、
前記本体部の背面の内面側に、ホースを載置できるサポート部材を設けたことを特徴とするものである。
【００１０】
（２）また、トンネル内の壁面に設置されるものであって、
ホースを収納するホース収納部を有する本体部と、該本体部の前面に設けられた前面パネルとを有する筐体を備え、
前記本体部の背面の全体又は所定高さより上の部分が、下方から上方に向かう方向で、かつ背面側から前面側に向かって傾斜する傾斜面部になっており、
前記本体部の背面の内面側に、ホースを押し付けることができるサポート部材を設けたことを特徴とするものである。
【００１１】
（３）また、上記（１）又は（２）に記載のものにおいて、前記サポート部材は、前記本体部の背面の内面に取り付けた板状体であることを特徴とするものである。
【００１２】
（４）また、トンネル内の壁面に設置される消火栓装置であって、
ホースを収納するホース収納部を有する本体部と、該本体部の前面に設けられた前面パネルとを有する筐体を備え、
前記本体部の背面の所定高さより下の部分が、背面側から前面側に向かって凹陥して内部に段部が形成され、該段部よりも下方の奥行きが該段部より上方の奥行きよりも短い形状になっており、
前記段部にホースを載置してホースを巻き回できることを特徴とするものである。
【００１３】
（５）また、トンネル内の壁面に設置される消火栓装置であって、
ホースを収納するホース収納部を有する本体部と、該本体部の前面に設けられた前面パネルとを有する筐体を備え、
前記本体部の背面の所定高さより上の部分が、背面側から前面側に向かって凹陥して内部に段部が形成され、該段部よりも上方の奥行きが該段部より下方の奥行きよりも短い形状になっており、
前記段部にホースを押し付けてホースを巻き回できることを特徴とするものである。
【発明の効果】
【００１４】
本発明に係る消火栓装置は、前記本体部の背面の全体又は所定高さより下の部分が、上方から下方に向かう方向で、かつ背面側から前面側に向かって傾斜する傾斜面部になっていることにより、トンネル壁面に箱抜きしないで取り付けた場合でも、設置状態でトンネル壁面より前面側に突出するのを抑制でき、監視員通路の脇に設置した場合には、監視員通路に要求される通行幅を確保することができる。
また、傾斜面部の内面側に、ホースを載置できるサポート部材を設けたことにより、ホース収納部にホースを内巻きする際に、サポート部材にホースを載置して巻き始めることができる。このため、ホース収納部の内部空間を有効利用可能となり、ホース収納部の厚みを薄くでき、ひいては筐体を薄くすることができる。
【図面の簡単な説明】
【００１５】
【図１】本発明の実施の形態１に係る消火栓装置の斜視図である。
【図２】図１に示した消火栓装置の側面図である。
【図３】図１に示した消火栓装置の背面側の斜視図である。
【図４】図１に示した消火栓装置のホース収納部を説明する説明図である。
【図５】図１に示した消火栓装置の設置状態を説明する斜視図である。
【図６】図１に示した消火栓装置の設置状態を説明する側面図である。
【図７】本発明の実施の形態２に係る消火栓装置のホース収納部の説明図である。
【図８】本発明の実施の形態３に係る消火栓装置の側面図である。
【図９】図８に示した消火栓装置の設置状態を説明する側面図である。
【図１０】図８に示した消火栓装置のホース収納部を説明する説明図である。
【図１１】実施の形態３に係る消火栓装置のホース収納部の他の態様の説明図である。
【図１２】本発明が解決しようとする課題を説明する説明図である。
【発明を実施するための形態】
【００１６】
［実施の形態１］
本実施の形態に係る消火栓装置１は、図１〜図６に示すように、シールドトンネル内のトンネル壁面８１（図５、図６参照）に設置されるものであって、ホース３を収納するホース収納部５を有する本体部７及び本体部７の前面に設けられた前面パネル９を有する筐体１１を備えている。
以下、消火栓装置１を構成する各部について詳細に説明する。
【００１７】
＜筐体＞
本実施の形態における筐体１１は、上述のように本体部７と前面パネル９を有し、全体形状は、図１〜図３に示すように、奥行きの方向の長さが短い（薄い）略直方体形状をしている。
筐体１１を奥行きの長さが短い形状にしているのは、シールドトンネルのトンネル壁面８１（図５、図６参照）に、直接設置した際に、トンネル壁面８１より前方への突出を小さくするためである。
【００１８】
《本体部》
本体部７は、図２、図３に示すように、その背面が、所定高さより下の部分が、上方から下方に向かう方向で、かつ背面側から前面側に向かって傾斜する傾斜面部１３になっている。
本実施の形態では、所定高さは、背面の下側の１／４〜１/３程度であり、これよりも下の部分が、傾斜面部１３であり、これより上の部分は垂直面になっている。言い換えれば、本体部７の背面側の上方から所定距離は垂直壁であり、その下方が傾斜面部１３となっている。また、本実施の形態の傾斜面部１３は平面である。平面にすることで、製作が容易であるという効果がある。
【００１９】
本体部７の背面側に傾斜面部１３を設けることで、シールドトンネルのトンネル壁面８１に壁掛け式で設置するときに、シールドトンネルのトンネル壁面８１との干渉を避けて、消火栓装置１のトンネル壁面８１からの突出をできるだけ小さくすることができる（図５、図６参照）。
【００２０】
本体部７の内部には、内巻きに巻き回されたホース３を収納するホース収納部５（図４参照）及び図示しない消火器収納部が設けられている。
なお、本体部７の内部に設けられる他の主な部品としては、消火栓弁を操作するための操作レバーや、ホース３の先端に設けられた消火ノズルを所定の位置に保持するためのノズルホルダ等がある（図示なし）。操作レバー及びノズルホルダは、後述する筐体１１の前面扉１５から操作者が操作等できる位置に設ける。
【００２１】
《ホース収納部》
ホース収納部５は、図４に示すように、背面が本体部７の背面パネル７ａと共用され、底部５ａ、天板部５ｂ、前壁部５ｃ及び側壁部（図示なし）からなる枠形状をしている。
そして、ホース収納部５の背面、すなわち本体部７の背面パネル７ａの内面側における傾斜面部１３には、最も奥側のホース３を載置できるサポート部材としての板状体１７を設けている。つまり、板状体１７は、傾斜面部１３の内面に取り付けられている。
【００２２】
板状体１７を設けることにより、ホース収納部５にホース３を内巻きする際に、板状体１７にホース３を載置して巻き始めることができる。これによって、傾斜面部１３の内側からホース３を巻き始めることができ、当該部位もホース収納空間とすることができる。このため、ホース収納部５の厚みを薄くでき、ひいては筐体１１を薄くすることができる。
なお、上記ではサポート部材の例として板状体１７を例に挙げて説明したが、サポート部材は板状でなくてもよく、その形状は特に限定されずホース３の巻き回をサポートできるものであればよく、例えば棒状の部材でもよい。
【００２３】
《前面パネル》
前面パネル９の外形は、本体部７の開口部よりも大きく設定され、前面パネル９の外周部には、本体部７側に向かって屈曲して、本体部７の開口端の周縁を覆う屈曲片部１９が全周に亘って設けられている。
屈曲片部１９を設けることで、雨水等が本体内部に浸入するのを防止できる。
【００２４】
また、前面パネル９には、ホース収納部５の前面側には前面開口部２１が設けられ、前面開口部２１には前面扉１５が設けられている。
また、消火器収納部の前面側には消火器箱前面開口部２３が設けられ、消火器箱前面開口部２３には横開き式の消火器箱前面扉２５が設けられている。
【００２５】
前面扉１５を開扉することで、操作レバーの操作が可能で、かつノズルホルダに保持されている消火ノズルを取り外してホース３を引き出すことが可能になっている。
また、消火器箱前面扉２５を開扉することで、内部に載置されている消火器を取り出すことが可能になっている。
【００２６】
なお、前面扉１５、消火器箱前面扉２５の開放方式は特定のものに限定されるものではなく、前面扉１５を引戸式や回動式、あるいは消火器箱前面扉２５を下降式（シャッター式）や回動式等種々の方式を採用することができる。
【００２７】
また、前面パネル９には、赤色表示灯２７、非常時を監視員に知らせるための非常ボタン２９、非常ボタン２９を押したときに点灯する非常ランプ３１が設けられている。
【００２８】
次に、上記のように構成された本実施の形態の消火栓装置１の設置方法及び設置状態について図５、図６に基づいて説明する。
消火栓装置１は、図５、図６に示すように、トンネル壁面８１における、車道８５に併設された監視員通路８３上から操作可能な高さ位置に、ブラケット等の取り付け部材によって固定する。本実施の形態の例では、消火栓装置１の底面を支持する底面支持ブラケット３３と、消火栓装置１の背面の上部を支持する背面ブラケット３５によって取り付けられている。
なお、底面支持ブラケット３３及び背面ブラケット３５は、シールドトンネルのトンネル壁面８１側に設けて、消火栓装置１の本体部７を固定してもよいし、消火栓装置１側に設けて、シールドトンネル側に固定するようにしてもよい。
【００２９】
消火栓装置１をトンネル壁面８１に取り付けた状態では、図６に示すように、監視員通路８３とシールドトンネルとの境界部分から消火栓装置１がほとんど突出しない状態に設置することができる。
すなわち、本体部７の下部を傾斜面部１３とすることで、シールドトンネルのトンネル壁面８１との干渉を避けて消火栓装置１の監視員通路８３側への突出を小さくすることができ、監視員通路８３に要求される通行幅を確保することができる。
【００３０】
また、ホース収納部５の背面、すなわち本体部７の背面パネル７ａの内面側における傾斜面部１３に板状体１７を設けたことにより、ホース収納部５にホース３を内巻きする際、板状体１７にホース３を載置して巻き始めることができる。これによって、ホース収納部５の内部空間を有効利用でき、ホース収納部５の厚み、ひいては筐体１１を薄くすることができる。
【００３１】
なお、上記の説明では、本体部７の背面の下部側の一部を傾斜面部１３にした例を示したが、背面の上端から下端に至る全体を傾斜面部１３にしてもよい。
このようにすることで、設置状態において、シールドトンネルのトンネル壁面８１に沿って設置が可能になる。
また、上記の説明では、傾斜面部１３が平面であったが、シールドトンネルのトンネル壁面８１の湾曲に沿うような湾曲面にしてもよい。
湾曲面とすることで、設置状態でシールドトンネルのトンネル壁面８１との干渉をより効果的に避けることができる。
【００３２】
また、上記の例では、傾斜面部１３の内面に板状体１７を設けているが、その取付位置が背面パネル７ａの垂直壁の内面であってもよく、本体部７の背面の内面側の適切な位置に板状体１７を設けることで、同様の効果を得ることができる。
さらに、板状体１７の数、すなわち高さ方向の段数は１段に限られず、複数段を設けるようにしてもよい。傾斜面部１３の長さが長く、その結果傾斜面部１３の奥行き方向の長さが長い場合には、板状体１７を複数段設けるのが好ましく、これによってホース収納空間の有効利用ができる。
【００３３】
なお、実施の形態１では、シールドトンネルのトンネル壁面８１に消火栓装置１を設けるものとして説明したが、本発明の消火栓装置１はシールドトンネル以外のトンネル壁面に取り付けることもできる。例えば、シールド工法によらないトンネルの施工方法としては、山岳工法等が挙げられ、この場合、一般的には消火栓装置を埋め込む箱抜きを設けることが多いが、本発明の消火栓装置１であれば、箱抜きを設けなくても設置することができるので、トンネルの施工の手間が省ける。
また、竣工時に消火栓装置を設けなかったトンネルに後から消火栓装置を監視員通路８３上に設置する場合でも、監視員通路８３の歩行スペースを確保しつつ、消火栓装置を設置することができる。
【００３４】
［実施の形態２］
実施の形態１においては、本体部７の背面の下側の一部を傾斜面部１３にしたものであったが、本実施の形態２では、図７に示すように、本体部７の背面パネル７ａの所定高さより下の部分が、背面側から前面側に向かって凹陥して内部のホース収納部３７に段部３９が形成されるようにしたものである。段部３９よりも下方の奥行き方向の長さが段部３９よりも上方よりも短い形状になっているため、本体内部のホース収納部３７において、段部３９に最も奥側のホース３を載置してホース３の巻き始めることができる。
【００３５】
本実施の形態によれば、実施の形態１と同様に、消火栓装置をトンネル壁面８１に取り付けた状態で、監視員通路８３とシールドトンネルとの境界部分から消火栓装置がほとんど突出しない状態に設置することができ、かつ最も奥側のホース３を載置できる段部３９を設けたことにより、ホース収納部３７にホース３を内巻きする際に、段部３９にホース３を載置して巻き始めることができる。このため、ホース収納部３７の内部空間を有効利用することが可能となり、ホース収納部３７の厚みを薄くでき、ひいては筐体１１を薄くすることができる。
また、段部３９は本体部７の背面パネル７ａによって形成されているので、別途サポート部材を設ける必要がなく、製作が容易であるという効果もある。
【００３６】
なお、段部３９を設ける場合においても、実施の形態１で説明した板状体１７の場合と同様に複数段設けるようにしてもよく、これによってホース収納部３７の内部空間をより有効利用できる。
【００３７】
［実施の形態３］
実施の形態１、２においては、本体部７の背面の全体又は所定高さより下の部分が傾斜面部１３又は段部３９になっているものを示したが、本実施の形態の消火栓装置４１は、図８、図９に示すように、本体部７の背面の所定高さより上の部分が、下方から上方に向かう方向で、かつ背面側から前面側に向かって傾斜する傾斜面部１３になっているものである。
つまり、図８、図９のものは、本体部７における背面側の下端から所定距離は垂直壁であり、その上方が傾斜面部１３になっている。
【００３８】
背面の形状をこのようにすることで、図８に示すように、トンネル壁面８１が監視員通路８３から垂直に立ちあがって、その後湾曲するような場合において、設置状態でトンネル壁面８１との干渉を効果的に避けることができる。
【００３９】
本体部７の背面の形状を図８、図９に示すようにした場合、ホース収納部４３は、図１０に示すように、サポート部材としての板状体１７を、背面パネル７ａの内面側における傾斜面部１３の下端及び高さ方向中程に設けている。
板状体１７を設けることで、ホース３を巻く際に、矩形状に巻き回される上辺となる部分を板状体１７に押しつけやすくなるので、ホース３を巻く作業を容易にすることができる。
板状体１７を設ける位置が限定されないのは、実施の形態１と同様である。
【００４０】
なお、本実施の形態の消火栓装置４１においても、傾斜面部１３を平面のみならず湾曲面にしてもよい。
また、図８、図９に示す例は、本体部７の背面の所定高さより上の部分を傾斜面部１３にしたものであるが、本体部７の背面の全体を下方から上方に向かう方向で、かつ背面側から前面側に向かって傾斜する傾斜面部１３にしてもよい。この態様のものは、例えばトンネル壁面８１が監視員通路８３から内側に湾曲して立ち上がるような場合に好適である。
この場合においても、傾斜面部１３は平面でも湾曲面でもよい。
【００４１】
さらに、本体部７の背面の形状は、上下から所定範囲の部分において、上側では上方に向かう方向でかつ背面側から前面側に向かって傾斜する傾斜面部１３になっており、下側では下方に向かう方向で、かつ背面側から前面側に向かって傾斜する傾斜面部１３になっているようにしてもよい（図１１参照）。
背面の形状をこのようにすることで、例えばトンネル径が小さい、あるいは消火栓装置の高さ方向の長さが長い等の場合であっても、消火栓装置の背面の上下部とトンネル壁面８１との干渉を効果的に避けることができる。
【００４２】
本体部７の背面の形状を上記のようにした場合、図１１に示すように、ホース収納部４５はサポート部材としての板状体１７を、例えば背面パネル７ａの内面側における傾斜面部１３の下端及び高さ方向中程に設けるようにすればよい。
【００４３】
なお、本体部７の背面の形状を、所定高さより上の部分が、背面側から前面側に向かって凹陥して内部に段部が形成され、該段部よりも上方の奥行きが該段部より下方の奥行きよりも短い形状にしてもよく、この場合、段部にホースを押し付けるようにして巻き回することでホースの巻き回が容易になる。
また、本体部７の背面の形状を、高さ方向の中央に垂直壁を有し、垂直壁の上端に背面側から前面側に向かって凹陥して内部に段部が形成され、垂直壁の下端にも背面側から前面側に向かって凹陥して内部に段部が形成されるような形状にしてもよく、この場合、段部に載せてホースを巻き始め、また段部にホースを押し付けるようにして巻き回することでホースの巻き回が容易になる。
【００４４】
上記の実施の形態１〜３においては、ホース収納部５、３７、４３、４５の背面が本体部７の背面パネル７ａと共用するものであったが、ホース収納部５、３７、４３、４５を本体部７とは独立したホースバケットによって構成してもよい。この場合、ホースバケットの背面側の形状は、本体部７の背面側の形状に沿うような形状にしてもよく、あるいは本体部７の背面形状が実施の形態１、３で示したような傾斜面部１３の場合において、ホースバケットの背面側を実施の形態２で示したような段部３９を有する形状にしてもよい。
【符号の説明】
【００４５】
＜実施の形態１＞
１  消火栓装置
３  ホース
５  ホース収納部
５ａ  底部
５ｂ  天板部
５ｃ  前壁部
７  本体部
７ａ  背面パネル
９  前面パネル
１１  筐体
１３  傾斜面部
１５  前面扉
１７  板状体
１９  屈曲片部
２１  前面開口部
２３  消火器箱前面開口部
２５  消火器箱前面扉
２７  赤色表示灯
２９  非常ボタン
３１  非常ランプ
３３  底面支持ブラケット
３５  背面ブラケット
＜実施の形態２＞
３７  ホース収納部
３９  段部
＜実施の形態３＞
４１  消火栓装置
４３、４５  ホース収納部
＜従来例＞
５１  ホース収納部
５３  傾斜面部
５５  ホース
＜監視員通路＞
８１  トンネル壁面
８３  監視員通路
８５  車道
【図１】
2019000196.tif 000003
【図２】
2019000196.tif 000004
【図３】
2019000196.tif 000005
【図４】
2019000196.tif 000006
【図５】
2019000196.tif 000007
【図６】
2019000196.tif 000008
【図７】
2019000196.tif 000009
【図８】
2019000196.tif 000010
【図９】
2019000196.tif 000011
【図１０】
2019000196.tif 000012
【図１１】
2019000196.tif 000013
【図１２】
2019000196.tif 000014